(57)【要約】【課題】  キャビネットを傷つけることなくその組立作業を迅速容易に行うこと。【解決手段】  液晶モジュール１を収納する合成樹脂製キャビネット２のフロントキャビネット２Ａとリアキャビネット２Ｂとのうち、そのフロントキャビネット２Ａの周枠部２ａに対向してリアキャビネット２Ｂの周枠部２ｂに長尺帯板状縁板３Ａ〜３Ｄが一体突設されており、該各縁板３Ａ〜３Ｄをフロントキャビネット２Ａの周枠部２ａ内に嵌入させるようにした薄型表示装置において、前記各縁板３Ａ〜３Ｄの内周面からリアキャビネット２Ｂの周枠部２ｂにかけて一体突設されて先端部を各縁板３Ａ〜３Ｄよりも外方に突出させたガイド部材１２が設けられており、該各ガイド部材１２をフロントキャビネット２Ａの周枠部２ａに接触させることにより、リアキャビネット２Ｂの各縁板３Ａ〜３Ｄがフロントキャビネット２Ａの周枠部２ａに対して位置決めされるようにした。【選択図】        図１
2011109506.tif 000002
【特許請求の範囲】
【請求項１】
薄型表示部を収納する合成樹脂製キャビネットのフロントキャビネットとリアキャビネ
ットとのうち、そのフロントキャビネットの周枠部に対向してリアキャビネットの周枠部
に長尺帯板状縁板が一体突設されており、該各縁板をフロントキャビネットの周枠部内に
嵌入させるようにした薄型表示装置において、前記各縁板のうち、少なくとも上側縁板及
び左右両縁板の内周面からリアキャビネットの周枠部にかけて一体突設されて先端部を各
縁板よりも外方に突出させたガイド部材が設けられており、該各ガイド部材をフロントキ
ャビネットの周枠部に接触させることにより、リアキャビネットの各縁板がフロントキャ
ビネットの周枠部に対して位置決めされるようにしたことを特徴とする薄型表示装置。
【請求項２】
前記各ガイド部材が、各縁板の内周面からリアキャビネットの周枠部にかけて所定間隔
をおいて平行状態で一体突設された一対のガイド板を有し、該各ガイド板の先端部が各縁
板よりも外方に突出され、その各ガイド板の先端部の外側縁が各縁板の外周面と面一状に
形成されると共に、その外側縁から先端縁にかけて傾斜縁が形成されていることを特徴と
する請求項１に記載の薄型表示装置。
【請求項３】
前記各ガイド部材の両ガイド板の内側縁どうしを一体連結する連結板が設けられ、該連
結板にその先端縁中央から奥部に向かって切り込み凹部が形成されていることを特徴とす
る請求項２に記載の薄型表示装置。
【発明の詳細な説明】
【技術分野】
【０００１】
本発明は、例えば液晶テレビなどの薄型表示装置に関し、特に、キャビネットを傷つけ
ることなくその組立作業を迅速容易に行うことができるようにしたものである。
【背景技術】
【０００２】
従来、薄型表示装置の一例として図６〜図８に示すものがあり、これは液晶テレビであ
って、図６は同斜視図、図７は同縦断面図、図８（ａ）及び（ｂ）は同組立手順を示す説
明図である。
【０００３】
図６及び図７に示すように、液晶テレビは、液晶モジュ−ル（薄型表示部）１をフロン
トキャビネット２Ａ及びリアキャビネット２Ｂからなる合成樹脂製キャビネット２内に収
納したものであって、そのフロントキャビネット２Ａの略ロ字状周枠部２ａに対向してリ
アキャビネット２Ｂの略ロ字状周枠部２ｂに上下左右の長尺帯板状縁板３Ａ〜３Ｄが一体
突設され、該各縁板３Ａ〜３Ｄをフロントキャビネット２Ａの周枠部２ａ内に嵌入させて
いる。
【０００４】
図７に示すように、リアキャビネット２Ｂに一体形成したボス部６に挿通したビス８を
フロントキャビネット２Ａのボス部７にねじ込むことにより、該リアキャビネット２Ｂが
フロントキャビネット２Ａに一体連結されると共に、リアキャビネット２Ｂ内に配置した
連結金具５が液晶モジュール１にビス８で螺着され、キャビネット２の下面に配置したス
タンド９がビス８により連結金具５に止着されている。
【０００５】
キャビネット２の組立手順を説明すると、図８（ａ）に実線で示すように、液晶モジュ
−ル１付きフロントキャビネット２Ａを作業台１０上に載置し、リアキャビネット２Ｂを
持ち上げ〔図８（ａ）仮想線参照〕、該リアキャビネット２Ｂの上部側を下向きに傾斜さ
せて上側縁板３Ａをフロントキャビネット２Ａの周枠部２ａ内に嵌入させ〔図８（ａ）及
び（ｂ）参照〕、その上側縁板３Ａと周枠部２ａとの接点を中心にリアキャビネット２Ｂ
の下部側を下向きに回動させて左右両縁板３Ｃ，３Ｄ及び２つの下側縁板３Ｂをフロント
キャビネット２Ａの周枠部２ａ内に嵌入させ、ビス８によりリアキャビネット２Ｂをフロ
ントキャビネット２Ａに止着し、連結金具５を液晶モジュ−ル１にビス８で螺着させる（
図７参照）。なお、関連する技術として特許文献１に記載したものがある。
【先行技術文献】
【特許文献】
【０００６】
【特許文献１】特開２００２−３１４９０１号公報
【発明の概要】
【発明が解決しようとする課題】
【０００７】
上記従来の構成では、組立作業において、リアキャビネット２Ｂを持ち上げて上側縁板
３Ａをフロントキャビネット２Ａの周枠部２ａ内に嵌入させる際に、その嵌入状態を作業
員が目視により確認することが困難であり、特にキャビネット２の大型化に伴ってその確
認が一層困難であるから、図８（ｂ）に仮想線で示すように、上側縁板３Ａが周枠部２ａ
の外側に位置ずれすることがあり、これでは、上側縁板３Ａにより周枠部２ａの外周面が
傷つけられ、不良品となるおそれがある。
【０００８】
また、フロントキャビネット２Ａ及びリアキャビネット２Ｂの成形時の寸法変化や変形
などで寸法誤差を生じさせたり、組立精度の誤差を生じさせた場合（例えばリアキャビネ
ット２Ｂがフロントキャビネット２Ａに対して２〜４ｍｍ程度の位置ずれが生じた状態で
組立作業を行なう場合）において、その寸法誤差や組立精度の誤差により、各縁板３Ａ〜
３Ｄを周枠部２ａ内に嵌入させることができないことがあり、また、各縁板３Ａ〜３Ｄを
周枠部２ａ内に強制的に嵌入させて寸法誤差や組立精度の誤差を修正するとしても、その
組立作業に時間と手間とがかかって面倒である。
【０００９】
本発明は、上記従来の欠点に鑑み、キャビネットを傷つけることなくその組立作業を迅
速容易に行うことができるようにした薄型表示装置を提供することを目的としている。
【課題を解決するための手段】
【００１０】
上記目的を達成するため、請求項１に記載の発明は、薄型表示部を収納する合成樹脂製
キャビネットのフロントキャビネットとリアキャビネットとのうち、そのフロントキャビ
ネットの周枠部に対向してリアキャビネットの周枠部に長尺帯板状縁板が一体突設されて
おり、該各縁板をフロントキャビネットの周枠部内に嵌入させるようにした薄型表示装置
において、前記各縁板のうち、少なくとも上側縁板及び左右両縁板の内周面からリアキャ
ビネットの周枠部にかけて一体突設されて先端部を各縁板よりも外方に突出させたガイド
部材が設けられており、該各ガイド部材をフロントキャビネットの周枠部に接触させるこ
とにより、リアキャビネットの各縁板がフロントキャビネットの周枠部に対して位置決め
されるようにしたことを特徴としている。
【００１１】
請求項２に記載の発明は、請求項１に記載の発明において、前記各ガイド部材が、各縁
板の内周面からリアキャビネットの周枠部にかけて所定間隔をおいて平行状態で一体突設
された一対のガイド板を有し、該各ガイド板の先端部が各縁板よりも外方に突出され、そ
の各ガイド板の先端部の外側縁が各縁板の外周面と面一状に形成されると共に、その外側
縁から先端縁にかけて傾斜縁が形成されていることを特徴としている。
【００１２】
請求項３に記載の発明は、請求項２に記載の発明において、前記各ガイド部材の両ガイ
ド板の内側縁どうしを一体連結する連結板が設けられ、該連結板にその先端縁中央から奥
部に向かって切り込み凹部が形成されていることを特徴としている。
【発明の効果】
【００１３】
請求項１に記載の発明によれば、リアキャビネットを持ち上げてガイド部材をフロント
キャビネットの周枠部に接触させることにより、該リアキャビネットの各縁板がフロント
キャビネットの周枠部に対して位置決めされるから、そのリアキャビネットを下降させる
だけで、各縁板をフロントキャビネットの周枠部内に自動的に嵌入させて、組立作業を迅
速容易に行なうことができ、従来のようにフロントキャビネットの周枠部の外周面が傷つ
けられるのを防止し、不良品の発生を防ぐことができる。
【００１４】
請求項２に記載の発明によれば、フロントキャビネット及びリアキャビネットの成形時
の寸法変化や変形などで寸法誤差を生じさせたり、組立精度の誤差を生じさせた場合（例
えばリアキャビネットがフロントキャビネットに対して数ｍｍ程度の位置ずれが生じた状
態で組立作業を行なう場合）でも、各ガイド部材を形成する一対のガイド板が所定間隔を
おいて縁板に一体突設されており、該両ガイド板の専有範囲が広いから、その両ガイド板
の先端縁から傾斜縁及び外側縁にかけての部分をフロントキャビネットの周枠部に押しつ
けるだけで、その寸法誤差や組立誤差を修正して、リアキャビネットの各縁板をフロント
キャビネットの周枠部内に確実に嵌入させることできる。
【００１５】
請求項３に記載の発明によれば、各ガイド部材の両ガイド板を連結板で補強しているの
で、該両ガイド板の先端部をフロントキャビネットの周枠部に押しつけたときに、その押
付力で両ガイド板が変形されることがなく、リアキャビネットの各縁板をフロントキャビ
ネットの周枠部内に一層確実に嵌入させることできる。
【００１６】
また、連結板に形成した切り込み凹部によって、両ガイド板が弾性変位可能に形成され
ているから、該両ガイド板の先端部をフロントキャビネットの周枠部に押しつけたときに
、その両ガイド板がわずかに弾性変位されて、リアキャビネットの各縁板をフロントキャ
ビネットの周枠部内に円滑に嵌入させることできる。
【図面の簡単な説明】
【００１７】
【図１】本発明の実施の一形態である薄型表示装置の斜視図である。
【図２】同縦断面図である。
【図３】同要部の表面側分解斜視図である。
【図４】（ａ）は同要部の裏面側斜視図、（ｂ）は同要部の裏面図、（ｃ）は同要部の縦断面図である。
【図５】（ａ）及び（ｂ）は同組立手順を示す説明図である。
【図６】従来例の斜視図である。
【図７】同縦断面図である。
【図８】（ａ）及び（ｂ）は同組立手順を示す説明図である。
【発明を実施するための形態】
【００１８】
図１〜図５は本発明の実施の一形態である薄型表示装置を示すものであり、これは液晶
テレビであって、リアキャビネット２Ｂの各縁板３Ａ〜３Ｄの内周面から周枠部２ｂにか
けて複数のガイド部材１２が一体突設されており、この実施の形態では、上側縁板３Ａに
は４つのガイド部材１２が所定間隔をおいて一体突設され、左右両縁板３Ｃ，３Ｄにはそ
れぞれ２つのガイド部材１２が所定間隔をおいて一体突設され、２つの下側縁板３Ｂには
それぞれ１つのガイド部材１２が一体突設されている。上記以外の構成は図６〜図８に示
す構成とほぼ同じであるから、同一部分に同一符号を付してその説明を省略する。
【００１９】
前記ガイド部材１２は、各縁板３Ａ〜３Ｄの内周面からリアキャビネット２Ｂの周枠部
２ｂにかけて所定間隔をおいて平行状態で一体突設された一対のガイド板１３を有し、該
各ガイド板１３の先端部１３Ａが各縁板３Ａ〜３Ｄよりも外方に突出され、その先端部１
３Ａの外側縁１３ａが各縁板３Ａ〜３Ｄの外周面３ａと面一状に形成されると共に、その
外側縁１３ａから先端縁１３ｃにかけて傾斜縁１３ｂが形成されている。
【００２０】
図３及び図４に示すように、各ガイド部材１２の両ガイド板１３の内側縁どうしを一体
連結する連結板１４が設けられ、該連結板１４にその先端縁中央から奥部に向かって切り
込み凹部１５が形成されている。
【００２１】
キャビネット２の組立手順を説明すると、図５（ａ）に実線で示すように、液晶モジュ
−ル１付きフロントキャビネット２Ａを作業台１０上に載置し、リアキャビネット２Ｂを
持ち上げ〔図５（ａ）仮想線参照〕、該リアキャビネット２Ｂの上部側を下向きに傾斜さ
せて上側縁板３Ａをフロントキャビネット２Ａの周枠部２ａに接近させる。これにより、
該上側縁板３Ａから外方に突出する各ガイド部材１２の先端部１３Ａがフロントキャビネ
ット２Ａの周枠部２ａに係合され、該各先端部１３Ａの先端縁１３ｃから傾斜縁１３ｂが
フロントキャビネット２Ａの周枠部２ａに沿って滑り、そのフロントキャビネット２Ａの
周枠部２ａ内に上側縁板３Ａが嵌入される〔図５（ａ）及び（ｂ）参照〕、その後、上側
縁板３Ａと周枠部２ａとの接点を中心にリアキャビネット２Ｂの下部側を下向きに回動さ
せ、左右両縁板３Ｃ，３Ｄ及び２つの下側縁板３Ｂを各ガイド部材１２を介してフロント
キャビネット２Ａの周枠部２ａ内に嵌入させ、ビス８によりリアキャビネット２Ｂをフロ
ントキャビネット２Ａに止着し、連結金具５を液晶モジュ−ル１にビス８で螺着させる（
図２参照）。
【００２２】
上記構成によれば、図５（ａ）及び（ｂ）に示すように、リアキャビネット２Ｂを持ち
上げて各ガイド部材１２の先端部１３Ａをフロントキャビネット２Ａの周枠部２ａに接触
させることにより、該リアキャビネット２Ｂの各縁板３Ａ〜３Ｄがフロントキャビネット
２Ａの周枠部２ａに対して位置決めされるから、そのリアキャビネット２Ｂを下降させる
だけで、各縁板３Ａ〜３Ｄをフロントキャビネット２Ａの周枠部２ａ内に自動的に嵌入さ
せて、組立作業を迅速容易に行なうことができ、従来のようにフロントキャビネット２Ａ
の周枠部２ａの外周面が傷つけられるのを防止し〔図８（ｂ）仮想線参照〕、不良品の発
生を防ぐことができる。
【００２３】
また、フロントキャビネット２Ａ及びリアキャビネット２Ｂの成形時の寸法変化や変形
などで寸法誤差を生じさせたり、組立精度の誤差を生じさせた場合（例えばリアキャビネ
ット２Ｂがフロントキャビネット２Ａに対して数ｍｍ程度の位置ずれが生じた状態で組立
作業を行なう場合）でも、各ガイド部材１２を形成する一対のガイド板１３が所定間隔を
おいて縁板３Ａ〜３Ｄに一体突設されており、該両ガイド板１３の専有範囲ｈ〔図４（ｂ
）参照〕が比較的広いから、その両ガイド板１３の先端縁１３ｃから傾斜縁１３ｂ及び外
側縁１３ａにかけての部分をフロントキャビネット２Ａの周枠部２ａに押しつけるだけで
、その寸法誤差や組立誤差を修正して、リアキャビネット２Ｂの各縁板３Ａ〜３Ｄをフロ
ントキャビネット２Ａの周枠部２ａ内に確実に嵌入させることできる。
【００２４】
更に、前記各ガイド部材１２の両ガイド板１３を連結板１４で補強しているので、該両
ガイド板１３の先端部１３Ａをフロントキャビネット２Ａの周枠部２ａに押しつけたとき
に、その押付力で両ガイド板１３が変形されることがなく、リアキャビネット２Ｂの各縁
板３Ａ〜３Ｄをフロントキャビネット２Ａの周枠部２ａ内に一層確実に嵌入させることで
きる。
【００２５】
しかも、連結板１４に形成した切り込み凹部１５によって、両ガイド板１３が弾性変位
可能に形成されているから、該両ガイド板１３の先端部１３Ａをフロントキャビネット２
Ａの周枠部２ａに押しつけたときに、その両ガイド板１３がわずかに弾性変位されて、リ
アキャビネット２Ｂの各縁板３Ａ〜３Ｄをフロントキャビネット２Ａの周枠部２ａ内に円
滑に嵌入させることできる。
【００２６】
上記実施の一形態では、２つの下側縁板３Ｂにそれぞれ１つのガイド部材１２が一体突
設されているが、その２つの下側縁板３Ｂが比較的短尺でフロントキャビネット２Ａの周
枠部２ａ内への嵌入が容易であるから、その２つの下側縁板３Ｂ上からガイド部材１２を
省略してもよい。
【符号の説明】
【００２７】
１            液晶モジュール（薄型表示部）
２            キャビネット
２Ａ          フロントキャビネット
２ａ          フロントキャビネットの周枠部
２Ｂ          リアキャビネット
２ｂ          リアキャビネットの周枠部
３Ａ〜３Ｄ    縁板
３ａ          縁板の外周面
１２          ガイド部材
１３          ガイド板
１３Ａ        ガイド板の先端部
１３ａ        先端部の外側縁
１３ｂ        先端部の傾斜縁
１３ｃ        先端部の先端縁
１４          連結板
１５          切り込み凹部
【図１】
2011109506.tif 000003
【図２】
2011109506.tif 000004
【図３】
2011109506.tif 000005
【図４】
2011109506.tif 000006
【図５】
2011109506.tif 000007
【図６】
2011109506.tif 000008
【図７】
2011109506.tif 000009
【図８】
2011109506.tif 000010